(57)【要約】【課題】電子ペーパーの画像を適切に消去することにある。【解決手段】所定電位に帯電された帯電体と、該帯電体と対向する対向部材と、着色帯電粒子を有し該着色帯電粒子が厚み方向に移動することにより画像を表示する電子ペーパーを、前記帯電体と前記対向部材との間に搬送する搬送部材と、前記間に前記電子ペーパーが位置する際に、前記対向部材に電圧を印加することにより、前記間に前記厚み方向に沿う電界を発生させる電圧印加部と、前記電圧の値が時間とともに変動して前記所定電位よりも高くなったり低くなったりするように前記対向部材に印加される前記電圧を制御して、前記厚み方向における前記電界の方向を時間とともに変化させることにより、前記着色帯電粒子を前記厚み方向に移動させて前記間に搬送された前記電子ペーパーの前記画像を消去するコントローラーと、を有することを特徴とする。【選択図】図５
2011154302.tif 000002
【特許請求の範囲】
【請求項１】
所定電位に帯電された帯電体と、
該帯電体と対向する対向部材と、
着色帯電粒子を有し該着色帯電粒子が厚み方向に移動することにより画像を表示する電子ペーパーを、前記帯電体と前記対向部材との間に搬送する搬送部材と、
前記間に前記電子ペーパーが位置する際に、前記対向部材に電圧を印加することにより、前記間に前記厚み方向に沿う電界を発生させる電圧印加部と、
前記電圧の値が時間とともに変動して前記所定電位よりも高くなったり低くなったりするように前記対向部材に印加される前記電圧を制御して、前記厚み方向における前記電界の方向を時間とともに変化させることにより、前記着色帯電粒子を前記厚み方向に移動させて前記間に搬送された前記電子ペーパーの前記画像を消去するコントローラーと、
を有することを特徴とする画像消去装置。
【請求項２】
請求項１に記載の画像消去装置において、
前記電圧印加部は、前記対向部材に交流電圧を印加し、
前記コントローラーは、前記交流電圧の平均値が前記所定電位と等しくなるように前記交流電圧を制御することを特徴とする画像消去装置。
【請求項３】
請求項２に記載の画像消去装置において、
前記間に前記電子ペーパーが位置する際には、前記帯電体と前記対向部とはニップ部にて前記電子ペーパーを挟んで圧接しており、
前記搬送部材は、前記電子ペーパーを搬送して、該電子ペーパーの互いに異なる部位を前記ニップ部に順次送り込み、前記コントローラーは、該ニップ部に送り込まれた前記部位から前記画像を順次消去し、
前記交流電圧の周期は、
前記搬送部材による前記電子ペーパーの搬送により該電子ペーパー上の任意のポイントが前記ニップ部を通過し始めてから通過し終えるまでに必要な時間よりも、小さいことを特徴とする画像消去装置。
【請求項４】
請求項１乃至請求項３のいずれかに記載の画像消去装置において、
前記コントローラーが前記電子ペーパーの前記画像を消去する前に、前記電子ペーパーを加熱する加熱部を有することを特徴とする画像消去装置。
【請求項５】
請求項１乃至請求項３のいずれかに記載の画像消去装置において、
前記コントローラーが前記電子ペーパーの前記画像を消去する前に、前記電子ペーパーに光を照射する照射部を有することを特徴とする画像消去装置。
【請求項６】
着色帯電粒子を有し該着色帯電粒子が厚み方向に移動することにより画像を表示する電子ペーパーを、所定電位に帯電された帯電体と該帯電体と対向する対向部材との間に搬送することと、
前記間に前記電子ペーパーが位置する際に、
前記対向部材に電圧を印加し、かつ、前記電圧の値が時間とともに変動して前記所定電位よりも高くなったり低くなったりするように前記電圧を制御して、
前記間に前記厚み方向に沿う電界を発生させ、かつ、前記厚み方向における前記電界の方向を時間とともに変化させることにより、
前記着色帯電粒子を前記厚み方向に移動させて前記間に搬送された前記電子ペーパーの前記画像を消去することと、
を有することを特徴とする画像消去方法。
【発明の詳細な説明】
【技術分野】
【０００１】
本発明は、画像消去装置、及び、画像消去方法に関する。
【背景技術】
【０００２】
着色帯電粒子を有し該着色帯電粒子が厚み方向に移動することにより画像を表示する電子ペーパーは既によく知られている。そして、画像を表示した電子ペーパーの該画像を消去する際には、画像消去装置により消去が行なわれる。
【先行技術文献】
【特許文献】
【０００３】
【特許文献１】特開２００９−２５１０４８号公報
【発明の概要】
【発明が解決しようとする課題】
【０００４】
従来は、電子ペーパーの画像を画像消去装置によって消去する際に、該電子ペーパーを白紙とするような消去方法が採られていた。そして、かかる際には、電子ペーパーに残像が現れてしまい、消去が適切に行なわれない場合があった。
【０００５】
本発明は、かかる課題に鑑みてなされたものであり、その目的とするところは、電子ペーパーの画像を適切に消去することにある。
【課題を解決するための手段】
【０００６】
主たる本発明は、所定電位に帯電された帯電体と、
該帯電体と対向する対向部材と、
着色帯電粒子を有し該着色帯電粒子が厚み方向に移動することにより画像を表示する電子ペーパーを、前記帯電体と前記対向部材との間に搬送する搬送部材と、
前記間に前記電子ペーパーが位置する際に、前記対向部材に電圧を印加することにより、前記間に前記厚み方向に沿う電界を発生させる電圧印加部と、
前記電圧の値が時間とともに変動して前記所定電位よりも高くなったり低くなったりするように前記対向部材に印加される前記電圧を制御して、前記厚み方向における前記電界の方向を時間とともに変化させることにより、前記着色帯電粒子を前記厚み方向に移動させて前記間に搬送された前記電子ペーパーの前記画像を消去するコントローラーと、
を有することを特徴とする画像消去装置である。  
本発明の他の特徴については、本明細書及び添付図面の記載により明らかにする。
【図面の簡単な説明】
【０００７】
【図１】電子ペーパー１００の構成を模式的に示す断面図である。
【図２】黒画像部及び白画像部における着色荷電粒子の様子を示した模式図である。
【図３】画像記録消去装置１の概略断面図である。
【図４】画像記録消去装置１のブロック図である。
【図５】画像消去モードが実行される際に対向ローラー５２に印加される交流電圧を示した図である。
【図６】ポイントＰがニップ部を通過し始める様子と通過し終える様子を示した模式図である。
【図７】画像消去モードが実行される際に対向ローラー５２に印加される交流電圧の他の例（正弦波）を示した図である。
【図８】画像消去モードが実行される際に対向ローラー５２に印加される交流電圧の他の例（三角波）を示した図である。
【図９】画像消去モードが実行される際に対向ローラー５２に印加される交流電圧の他の例（鋸歯状波）を示した図である。
【図１０】他の実施形態に係る画像記録消去装置１の概略断面図である。
【発明を実施するための形態】
【０００８】
本明細書及び添付図面の記載により、少なくとも次のことが明らかにされる。
【０００９】
所定電位に帯電された帯電体と、
該帯電体と対向する対向部材と、
着色帯電粒子を有し該着色帯電粒子が厚み方向に移動することにより画像を表示する電子ペーパーを、前記帯電体と前記対向部材との間に搬送する搬送部材と、
前記間に前記電子ペーパーが位置する際に、前記対向部材に電圧を印加することにより、前記間に前記厚み方向に沿う電界を発生させる電圧印加部と、
前記電圧の値が時間とともに変動して前記所定電位よりも高くなったり低くなったりするように前記対向部材に印加される前記電圧を制御して、前記厚み方向における前記電界の方向を時間とともに変化させることにより、前記着色帯電粒子を前記厚み方向に移動させて前記間に搬送された前記電子ペーパーの前記画像を消去するコントローラーと、
を有することを特徴とする画像消去装置。  
かかる画像消去装置によれば、電子ペーパーの画像を適切に消去することが可能となる。
【００１０】
また、前記電圧印加部は、前記対向部材に交流電圧を印加し、
前記コントローラーは、前記交流電圧の平均値が前記所定電位と等しくなるように前記交流電圧を制御することとしてもよい。  
かかる場合には、電子ペーパーの画像をより適切に消去することが可能となる。
【００１１】
また、前記間に前記電子ペーパーが位置する際には、前記帯電体と前記対向部とはニップ部にて前記電子ペーパーを挟んで圧接しており、
前記搬送部材は、前記電子ペーパーを搬送して、該電子ペーパーの互いに異なる部位を前記ニップ部に順次送り込み、前記コントローラーは、該ニップ部に送り込まれた前記部位から前記画像を順次消去し、
前記交流電圧の周期は、
前記搬送部材による前記電子ペーパーの搬送により該電子ペーパー上の任意のポイントが前記ニップ部を通過し始めてから通過し終えるまでに必要な時間よりも、小さいこととしてもよい。  
かかる場合には、電子ペーパーの画像をより適切に消去することが可能となる。
【００１２】
また、前記コントローラーが前記電子ペーパーの前記画像を消去する前に、前記電子ペーパーを加熱する加熱部を有することとしてもよい。  
かかる場合には、電子ペーパーの画像をより適切に消去することが可能となる。
【００１３】
また、前記コントローラーが前記電子ペーパーの前記画像を消去する前に、前記電子ペーパーに光を照射する照射部を有することとしてもよい。  
かかる場合には、電子ペーパーの画像をより適切に消去することが可能となる。
【００１４】
次に、着色帯電粒子を有し該着色帯電粒子が厚み方向に移動することにより画像を表示する電子ペーパーを、所定電位に帯電された帯電体と該帯電体と対向する対向部材との間に搬送することと、
前記間に前記電子ペーパーが位置する際に、
前記対向部材に電圧を印加し、かつ、前記電圧の値が時間とともに変動して前記所定電位よりも高くなったり低くなったりするように前記電圧を制御して、
前記間に前記厚み方向に沿う電界を発生させ、かつ、前記厚み方向における前記電界の方向を時間とともに変化させることにより、
前記着色帯電粒子を前記厚み方向に移動させて前記間に搬送された前記電子ペーパーの前記画像を消去することと、
を有することを特徴とする画像消去方法。  
かかる画像消去方法によれば、電子ペーパーの画像を適切に消去することが可能となる。
【００１５】
＝＝＝画像記録消去装置１の構成例について＝＝＝
次に、電子ペーパー１００の画像を消去する画像消去装置の構成例について、説明する。  
なお、本実施の形態に係る画像消去装置は、電子ペーパー１００の画像を消去する機能のみならず、電子ペーパー１００へ画像を記録する機能も備えている。そのため、本実施の形態に係る画像消去装置を、便宜上、画像記録消去装置１と呼ぶ。
【００１６】
以下では、画像記録消去装置１の説明に先立って、先ず、電子ペーパー１００の構成について説明する。そして、これに引き続いて、画像記録消去装置１の構成について説明する。
【００１７】
＜＜＜電子ペーパー１００の構成例について＞＞＞
ここでは、電子ペーパー１００の構成例について、図１及び図２を用いて説明する。図１は、電子ペーパー１００の構成を模式的に示す断面図である。図２は、黒画像部及び白画像部における着色荷電粒子の様子を示した模式図である。
【００１８】
電子ペーパー１００は、着色帯電粒子を有し、該着色帯電粒子が厚み方向に移動することにより画像を表示するものである。換言すれば、電子ペーパー１００は、着色された電気泳動粒子の電気泳動を利用して画像の表示を行う。
【００１９】
図１に示すように、本実施の形態に係る電子ペーパー１００は、表示層１０３と、表示層１０３の上面に設けられた上側絶縁層１４１と、表示層１０３の下面に設けられた下側絶縁層１４２と、封止部１０７と、を備えている。
【００２０】
電子ペーパー１００では、上側絶縁層１４１が表示面１２１を構成しており、上側絶縁層１４１を介して表示層１０３が視認されることにより、画像を認識することができるようになっている。また、電子ペーパー１００は、可撓性を有するもの、有さないもののいずれであってもよいが、本実施の形態に係る電子ペーパー１００は、可撓性を有している。
【００２１】
表示層１０３は、着色帯電粒子の一例としての正帯電白色粒子及び負帯電黒色粒子の収容部であるマイクロカプセル１３１とバインダ１３２とを有しており、複数のマイクロカプセル１３１がバインダ１３２で固定（保持）されることにより構成されている。また、複数のマイクロカプセル１３１は、上側絶縁層１４１と下側絶縁層１４２との間に、縦横に並列するように単層で（厚さ方向に重なることなく１個ずつ）配設されている。
【００２２】
各マイクロカプセル１３１は、殻体であるカプセル本体１３３を有しており、その内部（内部空間）には、電気泳動分散液が充填（封入）されている。カプセル本体１３３内に充填された電気泳動分散液は、正帯電白色粒子と負帯電黒色粒子とを液相分散媒に分散（懸濁）してなるものである。正帯電白色粒子及び負帯電黒色粒子の液相分散媒への分散については、ペイントシェーカー法、ボールミル法、メディアミル法、超音波分散法、攪拌分散法等のうちの１種または２種以上を組み合わせて行なうことができる。
【００２３】
正帯電白色粒子は、正に帯電する白色の電気泳動粒子であり、負帯電黒色粒子は、負に帯電する黒色の電気泳動粒子である。このように、正帯電白色粒子と負帯電黒色粒子とを用いることにより、電子ペーパー１００における白黒表示が可能となる。なお、本実施の形態においては、負帯電黒色粒子の帯電量と比べて、正帯電白色粒子の帯電量が小さくなっている（正帯電白色粒子は微帯電している）。
【００２４】
正帯電白色粒子及び負帯電黒色粒子には、それぞれ、電荷を有するものであれば、いかなるものをも用いることができ、特に限定はされないが、顔料粒子、樹脂粒子またはこれらの複合粒子のうちの少なくとも１種が好適に使用される。
【００２５】
顔料粒子を構成する顔料としては、例えば、アニリンブラック、カーボンブラック、チタンブラック等の黒色顔料、酸化チタン、酸化アンチモン等の白色顔料等が挙げられ、これらのうちの１種または２種以上を組み合わせて用いることができる。このうち、チタンブラックが負帯電黒色粒子として、酸化チタンが正帯電白色粒子として、好適に用いられる（本実施の形態においても、これらが用いられている）。
【００２６】
また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。
【００２７】
また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。顔料粒子の表面を他の顔料で被覆した粒子としては、例えば、酸化チタン粒子の表面を、酸化珪素や酸化アルミニウムで被覆したものを例示することができる。
【００２８】
正帯電白色粒子及び負帯電黒色粒子については、液相分散媒中での分散性を考慮した場合、より小さいものが好適に用いられる。具体的には、その平均粒径が、１０〜５００ｎｍ程度であるのが好ましく、２０〜３００ｎｍ程度であるのがより好ましい。正帯電白色粒子及び負帯電黒色粒子の平均粒径を前記範囲とすることにより、正帯電白色粒子と負帯電黒色粒子の凝集や、正帯電白色粒子や負帯電黒色粒子の沈降を防止することができ、正帯電白色粒子及び負帯電黒色粒子を液相分散媒中に分散させた状態を維持することができる。
【００２９】
そして、このような正帯電白色粒子及び負帯電黒色粒子がマイクロカプセル１３１内で電子ペーパー１００の厚み方向に移動することにより、画像が表示されることとなる。
【００３０】
すなわち、詳細については後述するが、当該電子ペーパー１００における画像を表示させたい部位（つまり、黒画像部）においては、負帯電黒色粒子が前記厚み方向における上側絶縁層１４１（表示面１２１）側に、正帯電白色粒子が下側絶縁層１４２側に、それぞれ移動し（図２の左図参照）、画像を表示させたくない部位（つまり、白画像部（白背景部））においては、正帯電白色粒子が前記厚み方向における上側絶縁層１４１（表示面１２１）側に、負帯電黒色粒子が下側絶縁層１４２側に、それぞれ移動するように（図２の右図参照）、粒子の移動が制御されることにより、電子ペーパー１００における白黒表示が成される。そして、この粒子の移動制御は、前記画像記録消去装置１が、前記厚み方向に沿う電界を発生させ、前者の部位においては電界の向きが下向き（上側絶縁層１４１から下側絶縁層１４２へ向かう向き）となり（図２の左図参照）、後者の部位においては電界の向きが上向き（下側絶縁層１４２から上側絶縁層１４１へ向かう向き）となるように（図２の右図参照）、電界の向きを制御することによって実現されることとなる。
【００３１】
なお、正帯電白色粒子及び負帯電黒色粒子の比重は、それぞれ、液相分散媒の比重とほぼ等しくなるように設定されているのが好ましい。これにより、正帯電白色粒子及び負帯電黒色粒子は、電界の作用を受けた後においても、液相分散媒中において一定の位置に長時間滞留することができる。
【００３２】
バインダ１３２は、例えば、上側絶縁層１４１と下側絶縁層１４２とを接合する目的、上側絶縁層１４１と下側絶縁層１４２との間に各マイクロカプセル１３１を固定する目的等により供給される。このバインダ１３２には、上側絶縁層１４１、下側絶縁層１４２およびカプセル本体１３３との親和性（密着性）に優れ、かつ、絶縁性に優れる樹脂材料が好適に使用される。
【００３３】
表示層１０３を間に挟むように対向配置された上側絶縁層１４１及び下側絶縁層１４２は、それぞれ、絶縁性を有するシート状（平板状）の部材で構成されている。このような上側絶縁層１４１及び下側絶縁層１４２は、表示層１０３（マイクロカプセル１３１）を保護する機能を有している。
【００３４】
上側絶縁層１４１は、表示面１２１を構成するために光透過性を有するもの、すなわち、実質的に透明（無色透明、有色透明または半透明）とされる。これにより、表示面１２１側から、表示層１０３の状態（各マイクロカプセル１３１中の正帯電白色粒子及び負帯電黒色粒子の状態）、すなわち電子ペーパー１００に表示された画像（情報）を目視により認識することができる。一方、下側絶縁層１４２については、上側絶縁層１４１のような光透過性の有無は問わない（本実施の形態においては、下側絶縁層１４２は実質的に不透明となっている）。
【００３５】
封止部１０７は、電子ペーパー１００内への水分の浸入を防止して、電子ペーパー１００の表示性能の劣化を抑えるためのものである。封止部１０７は、上側絶縁層１４１と下側絶縁層１４２との間に、それらの縁部に沿うようにして設けられている。そして、この封止部１０７により、表示層１０３が気密的に封止されている。
【００３６】
＜＜＜画像記録消去装置１の構成例について＞＞＞
次に、画像記録消去装置１の構成例について、図３及び図４を用いて説明する。図３は、画像記録消去装置１の概略断面図である。図４は、画像記録消去装置１のブロック図である。  
なお、前述したとおり、本実施の形態に係る画像記録消去装置１は、電子ペーパー１００へ画像を記録する機能と、電子ペーパー１００の画像を消去する機能と、を備えているが、以下、前者を画像記録モード、後者を画像消去モードと呼ぶ。
【００３７】
本実施の形態に係る画像記録消去装置１は、図３に示すように、帯電体の一例としての感光体２０の回転方向に沿って、帯電ユニット３０、露光ユニット４０、電界生成ユニット５０（対向部材の一例としての対向ローラー５２）、を有し、さらに、搬送部材の一例としての搬送ユニット６０、加熱部の一例としての加熱ユニット６８、液晶パネル７０、及び、これらのユニット等を制御し画像記録消去装置１としての動作を司るコントローラー８０を有している。
【００３８】
感光体２０は、金属製の円筒状の導電性基材と、その外周面に形成され静電気を保持するための樹脂製の感光層と、を有している。この感光体２０は、中心軸を中心に回転可能であり、本実施の形態においては、図３中の矢印で示すように時計回りに回転する。
【００３９】
帯電ユニット３０は、感光体２０を帯電させるためのものである。この帯電ユニット３０は、帯電ローラー３０ａを有しており、本実施の形態においては、当該帯電ローラー３０ａが、感光体２０を、Ｖ１＝−５００ボルトに帯電させるようになっている。
【００４０】
露光ユニット４０は、レーザーを照射することによって帯電された感光体２０上に潜像を形成するものである。この露光ユニット４０は、半導体レーザー、ポリゴンミラー、Ｆ−θレンズ等を有しており、パーソナルコンピューター、ワードプロセッサ等の不図示のホストコンピューターから入力された画像信号に基づいて、変調されたレーザーを帯電された感光体２０上に照射する。本実施の形態においては、潜像の画像部及び非画像部（背景部）のうちの前者に相当する部分にレーザーが照射され（本項においては、電子ペーパー１００における前記黒画像部に対応する感光体２０上の部分を画像部と、前記白画像部（白背景部）に対応する感光体２０上の部分を非画像部（背景部）と、それぞれ呼んでいる）、当該部分の電位がＶ１＝−５００ボルトからＶ２＝−５０ボルトとなる（Ｖ２＝−５０ボルトの画像部とＶ１＝−５００ボルトの非画像部（背景部）とを有する潜像が得られる）。なお、本実施の形態に係る露光ユニット４０は、画像記録モード及び画像消去モードのうちの画像記録モードにおいてのみ作動する（その理由については、後述する）。
【００４１】
電界生成ユニット５０は、電子ペーパー１００の厚み方向に電界を発生させて、当該電子ペーパー１００の正帯電白色粒子及び負帯電黒色粒子を厚み方向に移動させるためのものである。この電界生成ユニット５０は、対向ローラー５２と電圧印加部５４（図４参照）とを備えている。
【００４２】
対向ローラー５２は、感光体２０と対向する回転可能なローラーである。この対向ローラー５２は、電子ペーパー１００が感光体２０と当該対向ローラー５２との間に位置する際に、感光体２０と協働して電子ペーパー１００を挟んで圧接させつつ（換言すれば、感光体２０と対向ローラー５２とはニップ部にて電子ペーパー１００を挟んで圧接している）、感光体２０の回転に伴ってその回転方向とは反対方向に回転する。対向ローラー５２の、電子ペーパー１００を介して感光体２０と接触する接触部分は、ゴム製である。
【００４３】
電圧印加部５４は、電子ペーパー１００が前記間に位置する際に、前記対向ローラー５２に電圧を印加する（すなわち、対向ローラー５２は、被電圧印加部としての機能を有する）。そして、このことにより、感光体２０と対向ローラー５２との間に電子ペーパー１００の厚み方向に沿う電界を発生させて、電子ペーパー１００の正帯電白色粒子及び負帯電黒色粒子を厚み方向に移動させる。
【００４４】
電圧印加部５４は、画像記録モードが実行されるときと画像消去モードが実行されるときとで互いに異なる電圧を印加する。すなわち、画像記録モードが実行されるときには、正帯電白色粒子及び負帯電黒色粒子が移動して、前記潜像に対応する画像が電子ペーパー１００に表示されるように、また、画像消去モードが実行されるときには、正帯電白色粒子及び負帯電黒色粒子が移動して、画像を表示した電子ペーパー１００の該画像が消去されるように、電圧を印加するが、具体的にどのような電圧を印加するかについては、後に詳述する。
【００４５】
搬送ユニット６０は、電子ペーパー１００を搬送するためのものである。この搬送ユニット６０は、ペーパーカセット６２と、ペーパーカセット６２の上部に位置する給紙ローラー６４と、給紙ローラー６４から見て、感光体２０側に位置する搬送ローラー６６と、不図示の排紙ローラーと、を有している。給紙ローラー６４は、ペーパーカセット６２に収容されている電子ペーパー１００を給紙するローラーである。搬送ローラー６６は、給紙ローラー６４によって給紙された電子ペーパー１００を感光体２０と対向ローラー５２との間に搬送するローラーである。排紙ローラーは、画像が表示又は消去された電子ペーパー１００を画像記録消去装置１から排出するローラーである。これらのローラーは、不図示のモーターにより駆動される。
【００４６】
加熱ユニット６８は、電子ペーパー１００を加熱するためのものである。本実施の形態において、この加熱ユニット６８は、赤外線を放射する赤外線加熱装置であり、電子ペーパー１００に赤外線を放射して該電子ペーパー１００を加熱する。なお、本実施の形態においては、電子ペーパー１００の温度が約６０度となるように、該電子ペーパー１００を加熱する。
【００４７】
また、加熱ユニット６８は、ペーパーカセット６２からの電子ペーパー１００の搬送経路に設けられており、前記搬送ローラー６６と前記ニップ部（感光体２０と対向ローラー５２との間）との間に位置している。
【００４８】
そして、本実施の形態に係る加熱ユニット６８は、画像記録モード及び画像消去モードのうちの画像消去モードにおいてのみ作動し（その理由については、後述する）、電子ペーパー１００の画像が感光体２０と対向ローラー５２との間において消去される前に、電子ペーパー１００を加熱する。
【００４９】
液晶パネル７０は、ユーザーからの入力を受け付ける受付部としての機能と各種情報を表示してユーザーへ当該各種情報を報知する報知部としての機能を有する。例えば、本実施の形態において、液晶パネル７０は、画像消去モードを実行する旨の入力をユーザーから受け付ける。
【００５０】
コントローラー８０は、画像記録消去装置１の制御を行うための制御ユニット（制御部）である。コントローラー８０は、インターフェイス部８１と、ＣＰＵ８２と、メモリー８３と、ユニット制御回路８４と、を有する。
【００５１】
インターフェイス部８１は、外部装置である前記ホストコンピューターと画像記録消去装置１との間でデータの送受信を行う。ＣＰＵ８２は、画像記録消去装置１全体の制御を行うための演算処理装置である。メモリー８３は、ＣＰＵ８２のプログラムを格納する領域や作業領域等を確保するためのものであり、ＲＡＭ、ＥＥＰＲＯＭ等の記憶素子を有する。ＣＰＵ８２は、メモリー８３に格納されるプログラムに従って、ユニット制御回路８４を介して各ユニットを制御する。
【００５２】
＝＝＝画像記録消去装置１の動作例について＝＝＝
次に、画像記録消去装置１の動作例について、図２及び図５を用いて説明する。図５は、画像消去モードが実行される際に対向ローラー５２に印加される交流電圧を示した図である。  
以下では、先ず、画像記録モードが実行される際の電子ペーパー１００の動作について説明し、これに引き続いて、画像消去モードが実行される際の電子ペーパー１００の動作について説明する。  
なお、画像記録モード及び画像消去モードが実行されるときの画像記録消去装置１の各種動作は、主としてコントローラー８０により実現される。特に、本実施の形態においては、メモリー８３に格納されたプログラムをＣＰＵ８２が処理することにより実現される。そして、このプログラムは、以下に説明する各種の動作を行うためのコードから構成されている。
【００５３】
＜＜＜画像記録モード実行時の画像記録消去装置１の動作例について＞＞＞
ここでは、画像記録モード実行時の画像記録消去装置１の動作例について説明する。  
ホストコンピューターからの画像信号及び制御信号がインターフェイス部８１を介してコントローラー８０に入力されると、ユニット制御回路８４の制御により、感光体２０が回転する。なお、ペーパーカセット６２には、画像が未表示の電子ペーパー１００が収容されている。
【００５４】
感光体２０は、回転しながら、帯電位置において帯電ユニット３０により、順次Ｖ１＝−５００ボルトに帯電される。
【００５５】
感光体２０の帯電された領域は、感光体２０の回転に伴って露光位置に至り、露光ユニット４０によって、潜像が該領域に形成される。すなわち、該領域が潜像の画像部に相当する部分であれば当該領域にレーザーが照射される。この結果、Ｖ２＝−５０ボルトの画像部とＶ１＝−５００ボルトの非画像部（背景部）とを有する潜像が感光体２０上に形成される。
【００５６】
感光体２０上に形成された潜像は、感光体２０の回転に伴って、対向ローラー５２と対向する対向位置に至る。一方で、電子ペーパー１００が、搬送ユニット６０により、感光体２０（換言すれば、潜像）と対向ローラー５２との間に搬送され、該間に位置することとなる。そして、電子ペーパー１００が該間に位置する状態で、電圧印加部５４によって対向ローラー５２に電圧が印加され、該間に電子ペーパー１００の厚み方向に沿う電界が発生する。そして、このことにより、潜像に対応する画像が電子ペーパー１００に表示される。
【００５７】
具体的には、電圧印加部５４は、対向ローラー５２に、画像部における電位及び非画像部における電位のうち小さい方（本実施の形態においてはＶ１ボルト）よりも大きくて、大きい方（本実施の形態においてはＶ２ボルト）よりも小さいＶ３ボルトの直流電圧（本実施の形態においては、Ｖ１ボルトとＶ２ボルトの平均値であるＶ３＝−２７５ボルト）を印加する。
【００５８】
潜像の画像部が前記対向位置に位置する際に、当該印加が成されると、感光体２０側（上側）がＶ２＝−５０ボルト、対向ローラー５２側（下側）がＶ３＝−２７５ボルトとなるため、図２の左図に示したように、下向き（電子ペーパー１００の上側絶縁層１４１から下側絶縁層１４２へ向かう向き）の電界が発生する。そして、当該電界の作用により、電子ペーパー１００内の負帯電黒色粒子が上側絶縁層１４１（表示面１２１）側に、正帯電白色粒子が下側絶縁層１４２側に、それぞれ移動するため、電子ペーパー１００の前記間に位置する部位には、黒画像が表示されることとなる（当該部位が、黒画像部となる）。一方、潜像の非画像部が前記対向位置に位置する際に、当該印加が成されると、感光体２０側（上側）がＶ１＝−５００ボルト、対向ローラー５２側（下側）がＶ３＝−２７５ボルトとなるため、図２の右図に示したように、上向き（電子ペーパー１００の下側絶縁層１４２から上側絶縁層１４１へ向かう向き）の電界が発生する。そして、当該電界の作用により、電子ペーパー１００内の正帯電白色粒子が上側絶縁層１４１（表示面１２１）側に、負帯電黒色粒子が下側絶縁層１４２側に、それぞれ移動するため、電子ペーパー１００の前記間に位置する部位には、白画像が表示されることとなる（当該部位が、白画像部（白背景部）となる）。つまり、潜像の画像部が前記対向位置に位置する際には電子ペーパー１００は黒画像を表示し、非画像部が前記対向位置に位置する際には電子ペーパー１００は黒画像を表示することとなるため、画像部及び非画像部を有する潜像が電子ペーパー１００に転写（コピー）されることとなる。
【００５９】
このように、本実施の形態においては、電圧印加部５４が、対向ローラー５２に電圧を印加することにより、感光体２０と対向ローラー５２との間に厚み方向に沿う電界を発生させ、着色帯電粒子を厚み方向に移動させることにより電子ペーパー１００に潜像に対応する画像を表示させる。すなわち、コントローラー８０は、直流電圧の大きさを、画像部における電位（Ｖ２ボルト）よりも小さくて非画像部における電位（Ｖ１ボルト）よりも大きい値であるＶ３ボルトに制御して、電圧印加部５４が、Ｖ３ボルトの電圧を印加する。そして、このことにより、電圧印加部５４は、感光体の画像部と対向ローラー５２との間に発生する電界の方向及び当該電界による負帯電黒色粒子（正帯電白色粒子）の移動方向と、感光体の非画像部と対向ローラー５２との間に発生する電界の方向及び当該電界による負帯電黒色粒子（正帯電白色粒子）の移動方向と、を逆転させることにより、電子ペーパー１００に潜像に対応する白黒画像を表示させる。
【００６０】
そして、上述した画像を表示させるための動作は継続して実行される。すなわち、電子ペーパー１００は搬送ユニット６０により搬送されて、電子ペーパー１００の互いに異なる部位が、前記間（ニップ部）に順次送り込まれる。その一方で、潜像が形成された感光体２０の互いに異なる部位が、感光体２０の回転により、前記間（前記対向位置）に順次送り込まれる。そして、当該間において、電子ペーパー１００の前記部位に、潜像に対応する画像が順次表示される（電子ペーパー１００に潜像が順次転写される）。
【００６１】
画像表示（転写）が完了した電子ペーパー１００は、排紙ローラーによって、画像記録消去装置１から排出される。
【００６２】
＜＜＜画像消去モード実行時の画像記録消去装置１の動作例について＞＞＞
次に、画像消去モード実行時の画像記録消去装置１の動作例について説明する。画像消去モードは、画像として機密事項が表示されている電子ペーパー１００の当該機密事項が漏洩しないように、ユーザーが当該機密事項を消したいとき（このとき、電子ペーパー１００に当該機密事項を表示させておく必要はなくなっている）等に実行される。
【００６３】
画像消去モードは、画像消去モードを実行する旨の入力を液晶パネル７０がユーザーから受け付けることにより実行される。当該入力が受け付けられると、ユニット制御回路８４の制御により、感光体２０が回転する。なお、ペーパーカセット６２には、画像を表示した（消去対象の画像が表示されている）電子ペーパー１００が収容されている。
【００６４】
感光体２０は、回転しながら、帯電位置において帯電ユニット３０により、順次Ｖ１＝−５００ボルトに帯電される。
【００６５】
感光体２０の帯電された領域は、感光体２０の回転に伴って露光位置に至るが、本実施の形態に係る画像消去モードにおいては、コントローラー８０は、露光ユニット４０を作動させない。そのため、感光体２０は、露光位置を通過しても、所定電位Ｖ１ボルトに帯電されたままである。
【００６６】
感光体２０上の帯電された部位は、感光体２０の回転に伴って、対向ローラー５２と対向する対向位置に至る。一方で、電子ペーパー１００が、搬送ユニット６０により、感光体２０（感光体２０上の帯電された部位）と対向ローラー５２との間に搬送され、該間に位置することとなる。そして、電子ペーパー１００が該間に位置する状態で、電圧印加部５４によって対向ローラー５２に電圧が印加され、該間に電子ペーパー１００の厚み方向に沿う電界が発生する。そして、このことにより、該間に搬送された電子ペーパー１００の画像が電子ペーパー１００から消去される。
【００６７】
具体的には、電圧印加部５４は、対向ローラー５２に、平均値が前記所定電位（つまり、Ｖ１＝−５００ボルト）と等しくなるような交流電圧（詳しくは、直流（ＤＣ）に交流（ＡＣ）を重畳した電圧）を印加する。ここで、交流電圧とは、時間とともに周期的に大きさと向きが変化する電圧の意であり、波形の形状は問わない（例えば、正弦波、矩形波、三角波、鋸歯状波等のいずれをも含む概念である）。本実施の形態においては、図５に示すような矩形波の交流電圧が印加される。この交流電圧（矩形波）は、図５に示すように、Ｖ４＝−６００ボルトとＶ５＝−４００ボルトの双方を繰り返す。また、当該交流電圧（矩形波）の周期は、１０ｍｓである。
【００６８】
そして、このような交流電圧が印加され、あるタイミングで電圧がＶ４ボルトになった場合には、感光体２０側（上側）がＶ１＝−５００ボルト、対向ローラー５２側（下側）がＶ４＝−６００ボルトとなるため、図２の左図に示したように、下向き（電子ペーパー１００の上側絶縁層１４１から下側絶縁層１４２へ向かう向き）の電界が発生する。そして、当該電界の作用により、電子ペーパー１００内の負帯電黒色粒子が上側絶縁層１４１（表示面１２１）側に、正帯電白色粒子が下側絶縁層１４２側に、それぞれ移動するため、電子ペーパー１００の前記間に位置する部位には、黒画像が表示されることとなる（当該部位が、黒画像部となる）。一方、別の（次の）タイミングで電圧がＶ５ボルトになった場合には、感光体２０側（上側）がＶ１＝−５００ボルト、対向ローラー５２側（下側）がＶ５＝−４００ボルトとなるため、図２の右図に示したように、上向き（電子ペーパー１００の下側絶縁層１４２から上側絶縁層１４１へ向かう向き）の電界が発生する。そして、当該電界の作用により、電子ペーパー１００内の正帯電白色粒子が上側絶縁層１４１（表示面１２１）側に、負帯電黒色粒子が下側絶縁層１４２側に、それぞれ移動するため、電子ペーパー１００の前記間に位置する部位には、白画像が表示されることとなる（当該部位が、白画像部（白背景部）となる）。つまり、電圧がＶ１ボルトよりも低いＶ４ボルトになった場合には、電界の向きが下向きとなることにより電子ペーパー１００は黒画像を表示し、電圧がＶ１ボルトよりも高いＶ５ボルトになった場合には、電界の向きが上向きとなることにより電子ペーパー１００は黒画像を表示する。そして、交流電圧の印加により、電圧の値がＶ４ボルトとＶ５ボルトとを繰り返すため、電子ペーパー１００には、黒画像と白画像が繰り返されたものが新たに表示され、表示されていた画像（消去対象の画像）は消去されることとなる（つまり、黒画像と白画像が繰り返されたものが、消去対象の画像をオーバーライトする）。
【００６９】
このように、本実施の形態においては、コントローラー８０が、電圧の値が時間とともに変動して前記所定電位（Ｖ１＝−５００ボルト）よりも高くなったり（Ｖ５＝−４００ボルト）低くなったり（Ｖ４＝−６００ボルト）するように（さらには、交流電圧の平均値が前記所定電位と等しくなるように）対向ローラー５２に印加される電圧を制御して、厚み方向における電界の方向を時間とともに変化させることにより、着色帯電粒子を厚み方向に移動させて前記間に搬送された電子ペーパー１００の前記画像を消去する。
【００７０】
そして、上述した画像を消去するための動作は継続して実行される。すなわち、電子ペーパー１００は搬送ユニット６０により搬送されて、消去対象の画像が表示されている電子ペーパー１００の互いに異なる部位が、前記間（ニップ部）に順次送り込まれる。その一方で、帯電された感光体２０の互いに異なる部位が、感光体２０の回転により、前記間（前記対向位置）に順次送り込まれる。そして、当該間において、電子ペーパー１００の前記部位から、画像が順次消去される（すなわち、コントローラー８０が、ニップ部に送り込まれた前記部位から画像を順次消去することとなる）。
【００７１】
画像消去が完了した電子ペーパー１００は、排紙ローラーによって、画像記録消去装置１から排出される。
【００７２】
＝＝＝本実施の形態に係る画像記録消去装置１の有効性について＝＝＝
上述した通り、本実施の形態に係る画像記録消去装置１は、所定電位（例えば、Ｖ１＝−５００ボルト）に帯電された感光体２０と、該感光体２０と対向する対向ローラー５２と、着色帯電粒子を有し該着色帯電粒子が厚み方向に移動することにより画像を表示する電子ペーパー１００を、感光体２０と対向ローラー５２との間に搬送する搬送ユニット６０と、前記間に電子ペーパー１００が位置する際に、対向ローラー５２に電圧を印加することにより、前記間に前記厚み方向に沿う電界を発生させる電圧印加部５４と、前記電圧の値が時間とともに変動して前記所定電位よりも高くなったり低くなったりするように対向ローラー５２に印加される前記電圧を制御して、厚み方向における前記電界の方向を時間とともに変化させることにより、前記着色帯電粒子を前記厚み方向に移動させて前記間に搬送された電子ペーパー１００の前記画像を消去するコントローラー８０と、を有している。そして、このことにより、電子ペーパーの画像を適切に消去することが可能となる。
【００７３】
すなわち、前述したとおり、従来は、電子ペーパーの画像を画像消去装置によって消去する際に、該電子ペーパーを白紙とするような消去方法が採られていた。そして、かかる際には、電子ペーパーに残像が現れてしまい、消去が適切に行なわれない場合があった。
【００７４】
例えば、上述した画像記録消去装置１において、電圧印加部５４が、図５に示した交流電圧の代わりに、−４００ボルトの直流電圧を印加すると、厚み方向における電界の方向が時間とともに変化せず当該方向が常に上向きとなるため、電子ペーパー１００のどの部位においても、正帯電白色粒子が上側絶縁層１４１（表示面１２１）側に、負帯電黒色粒子が下側絶縁層１４２側に、それぞれ移動することとなる。そして、このことにより、電子ペーパー１００を白紙化することができる（以下、この例を比較例とする）。
【００７５】
しかしながら、当該比較例においては、電子ペーパー１００の全ての部位を、一律に、白画像部にしようとしているため、白紙化が不十分であると消去対象の画像が薄く残ってしまう（消去対象の画像の残像が現れる）可能性がある（なお、当然のことながら、電子ペーパー１００の全ての部位を白画像部にするのではなく黒画像部にしようとした場合（便宜上、黒紙化と呼ぶ）においても、黒紙化が不十分であると残像が現れる可能性がある）。そして、このような場合には、機密事項の漏洩防止という目的も果たせなくなってしまう。
【００７６】
これに対し、本実施の形態においては、電圧の値が時間とともに変動して前記所定電位よりも高くなったり低くなったりするように対向ローラー５２に印加される電圧が制御されるため、厚み方向における電界の方向が時間とともに変化することとなる。そのため、前述したとおり、黒画像と白画像が繰り返されたものが、消去対象の画像をオーバーライトすることとなるから、消去対象の画像が薄く残ってしまう（消去対象の画像の残像が現れる）ことが適切に抑止されることとなる。すなわち、本実施の形態に係る画像記録消去装置１によれば、電子ペーパー１００の画像が適切に消去されることとなる（機密事項の漏洩防止という目的も適切に果たせることとなる）。
【００７７】
また、本実施の形態においては、電圧印加部５４が、対向ローラー５２に交流電圧を印加し、コントローラー８０が、交流電圧の平均値（＝（−６００−４００）／２＝−５００）が前記所定電位（Ｖ１＝−５００ボルト）と等しくなるように交流電圧を制御することとした。そのため、黒画像部と白画像部とがバランス良く（同程度に）繰り返されることとなり、消去対象の画像をより適切にオーバーライトすることができる（逆に、白画像部及び黒画像部のいずれかに大きく偏ってしまうと、前記比較例と比べれば効果はあるものの、その効果は顕著なものではなくなってしまう（白紙化や黒紙化と大差ないものとなってしまう）。したがって、電子ペーパー１００の画像がより適切に消去されることとなる。
【００７８】
また、本実施の形態においては、前述したとおり、交流電圧の周期を１０ｍｓとした。そして、当該周期は、搬送ユニット６０による電子ペーパー１００の搬送により電子ペーパー１００上の任意のポイントが前記ニップ部を通過し始めてから通過し終えるまで（図６の左図にポイントＰがニップ部を通過し始める様子を、図６の右図にポイントＰがニップ部を通過し終える様子を、それぞれ示す）に必要な時間よりも、小さくなるような値に設定されている。そして、このことにより、以下の理由から、電子ペーパー１００の画像がより適切に消去されることとなる。
【００７９】
本実施の形態において、交流電圧が印加され、あるタイミングで電圧がＶ４ボルトになった場合には、感光体２０と対向ローラー５２との間（すなわち、ニップ部）において下向きの電界が発生し、かかるタイミングにおいて電子ペーパー１００の前記間に位置する部位には黒画像が表示され、一方、別のタイミングで電圧がＶ５ボルトになった場合には、前記間において上向きの電界が発生し、かかるタイミングにおいて前記間に位置する部位には白画像が表示されることについて既に説明したが（巨視的な説明）、当該現象をさらに微視的に見ると、概ね以下の現象が発生していると考えられる。
【００８０】
すなわち、本実施の形態においては、前記交流電圧の周期が、搬送ユニット６０による電子ペーパー１００の搬送により電子ペーパー１００上の任意のポイントが前記ニップ部を通過し始めてから通過し終えるまでに必要な時間よりも、小さいため、電子ペーパー１００上のあるポイント（部位）がニップ部を通過し始めてから通過し終えるまでの間に、常に同じ向き（上向き又は下向き）の電界が発生しているのではなく、電界の向きが上向き又は下向きになることが複数回繰り返されていることとなる。
【００８１】
換言すれば、電子ペーパー１００の当該ポイントに位置するマイクロカプセル１３１内の負帯電黒色粒子及び正帯電白色粒子が、ニップ部を通過し始めてから通過し終えるまでの間に、常に同じ向きの電界（上向き又は下向き）の作用を受けて、当該ポイントが当該向きに対応した画像（下向きであれば黒画像、上向きであれば白画像）となるのではない。概ね発生している現象としては、前記負帯電黒色粒子及び正帯電白色粒子が、ニップ部を通過し始めてから通過し終える直前までの間に、上向きの電界の作用と下向きの電界の作用とを交互に何度か受けることにより、前記負帯電黒色粒子及び正帯電白色粒子が、シャッフル（混合）され、その後、ニップ部を通過し終える際（前記負帯電黒色粒子及び正帯電白色粒子が電界の作用を受けなくなる直前のタイミング）に、前記負帯電黒色粒子及び正帯電白色粒子が、下向きの電界の作用を受けた場合には当該ポイントがほぼ黒画像となり、上向きの電界の作用を受けた場合には当該ポイントがほぼ白画像となるというものである。
【００８２】
そして、かかる場合には、前記負帯電黒色粒子及び正帯電白色粒子がシャッフル（混合）されてから前記オーバーライトが行なわれるため（前記オーバーライト前に、負帯電黒色粒子及び正帯電白色粒子がシャッフル（混合）される作用を受けるため）、電子ペーパー１００の画像がより適切に消去されることとなる。
【００８３】
＝＝＝その他の実施の形態＝＝＝
上記の実施の形態は、主として画像消去装置について記載されているが、画像消去方法等の開示も含まれている。また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００８４】
また、上記実施の形態においては、画像消去装置として画像記録モードと画像消去モードを備えた画像記録消去装置１を例に挙げて説明したが、これに限定されるものではない。例えば、画像を記録する機能を備えない画像消去装置（画像消去専用装置）であってもよい（かかる場合には、露光ユニット４０を省略することが可能となる）。また、画像消去モードは備えないが、画像を記録する前に（直前に）必ず画像を消去する（画像を消去するプロセスを実行してから画像を記録するプロセスを実行する）画像記録装置のうちの、画像消去プロセスに本発明を適用したものも、本画像消去装置の一例である。
【００８５】
また、上記実施の形態においては、着色帯電粒子として正帯電白色粒子と負帯電黒色粒子を例に挙げて説明したが、これに限定されるものではない。
【００８６】
例えば、白色粒子が負帯電であり、黒色粒子が正帯電であってもよい。また、色については、白色、黒色に限定されるものではなく、双方の色が異なっていればどのような色であってもよい。例えば、赤色、青色、緑色などの有彩色や、金色、銀色等の金属光沢色から目的に合わせて適宜選択することができる。また、二色の粒子のうちの片方のみが帯電していて他方が帯電していない（無帯電である）場合（例えば、白色粒子が無帯電であるため、着色帯電粒子としては負帯電黒色粒子のみが存在する場合）であってもよく、このような場合にも本発明を適用できる。
【００８７】
また、上記実施の形態においては、電子ペーパー１００の上側絶縁層１４１が光透過性を有する（実質的に透明である）一方で、下側絶縁層１４２は光透過性を有さない（実質的に不透明である）こととしたが、これに限定されるものではない。例えば、上側絶縁層１４１と下側絶縁層１４２の双方が光透過性を有する（実質的に透明である）こととしてもよく、この場合には、上側絶縁層１４１と下側絶縁層１４２のいずれをも表示面１２１とすることが可能となる。
【００８８】
また、上記実施の形態において、画像消去モードは、画像消去モードを実行する旨の入力を液晶パネル７０がユーザーから受け付けることにより実行されることとしたが、これに限定されるものではない。例えば、画像消去モードを実行する旨の情報を有する信号がホストコンピューターからインターフェイス部８１を介してコントローラー８０に入力されることにより実行されることとしてもよい。
【００８９】
また、上記実施の形態においては、電圧の値が時間とともに変動して所定電位よりも高くなったり低くなったりすることとし、当該所定電位は帯電ユニット３０による帯電直後の電位（例えば、Ｖ１＝−５００ボルト）であることとしたが、これに限定されるものではない。例えば、画像消去モードにおいて露光ユニット４０を作動させることとし、当該所定電位は露光ユニット４０による露光直後の電位（例えば、Ｖ２＝−５０ボルト）であることとしてもよい。
【００９０】
また、上記実施の形態に係る画像記録消去装置１においては、交流電圧として図５に示した矩形波が印加されることとしたが、これに限定されるものではない。例えば、図７に示すような正弦波が印加されることとしてもよい。また、図８に示すような三角波が印加されることとしてもよい。また、図９に示すような鋸歯状波が印加されることとしてもよい。
【００９１】
また、上記実施の形態に係る画像記録消去装置１は、コントローラー８０が電子ペーパー１００の画像を消去する前に電子ペーパー１００を加熱する加熱ユニット６８を有することとしたが、これに限定されるものではなく、例えば、当該加熱ユニット６８を有しないこととしてもよい。
【００９２】
ただし、画像記録消去装置１が当該加熱ユニット６８を有する場合には、電子ペーパー１００の画像が感光体２０と対向ローラー５２との間において消去される際に、着色帯電粒子が温まった状態となるため当該着色帯電粒子が活性化される。そのため、電子ペーパー１００の画像が消去される際に、当該着色帯電粒子の厚み方向における移動がスムーズとなり（当該着色帯電粒子が動き易くなり）、電子ペーパー１００の画像の消去がより適切に行なわれることとなる。かかる点で、上記実施形態の方がより望ましい。
【００９３】
また、上記実施の形態においては、加熱部（加熱ユニット６８）として赤外線を放射する赤外線加熱装置を例に挙げて説明したが、これに限定されるものではない。例えば、加熱された加熱ローラーを電子ペーパー１００に当てるようにしてもよい。
【００９４】
また、図１０に示すように、画像記録消去装置１が、上記実施の形態における加熱ユニット６８の代わりに、コントローラー８０が電子ペーパー１００の画像を消去する前に電子ペーパー１００に光（所謂、可視光線）を照射する照射部の一例としての光照射ユニット２６８を有することとしてもよい。
【００９５】
かかる場合においても、電子ペーパー１００の画像が感光体２０と対向ローラー５２との間において消去される際に、着色帯電粒子が光により活性化された状態となる。そのため、電子ペーパー１００の画像が消去される際に、当該着色帯電粒子の厚み方向における移動がスムーズとなり（当該着色帯電粒子が動き易くなり）、電子ペーパー１００の画像の消去がより適切に行なわれることとなる（特に、上記実施形態のように着色帯電粒子が酸化チタンである場合には、当該事象が顕著となる）。
【符号の説明】
【００９６】
１  画像記録消去装置、２０  感光体、３０  帯電ユニット、
３０ａ  帯電ローラー、４０  露光ユニット、５０  電界生成ユニット、
５２  対向ローラー、５４  電圧印加部、６０  搬送ユニット、
６２  ペーパーカセット、６４  給紙ローラー、６６  搬送ローラー、
６８  加熱ユニット、７０  液晶パネル、８０  コントローラー、
８１  インターフェイス部、８２  ＣＰＵ、８３  メモリー、
８４  ユニット制御回路、１００  電子ペーパー、１０３  表示層、
１０７  封止部、１２１  表示面、１３１  マイクロカプセル、
１３２  バインダ、１３３  カプセル本体、１４１  上側絶縁層、
１４２  下側絶縁層、２６８  光照射ユニット
【図１】
2011154302.tif 000003
【図２】
2011154302.tif 000004
【図３】
2011154302.tif 000005
【図４】
2011154302.tif 000006
【図５】
2011154302.tif 000007
【図６】
2011154302.tif 000008
【図７】
2011154302.tif 000009
【図８】
2011154302.tif 000010
【図９】
2011154302.tif 000011
【図１０】
2011154302.tif 000012